(57)【要約】【課題】樹木を傷つけることを回避し、案内札の高さを容易に調整することができ、視認し易くすることができる樹木用案内札の取付具及び当該取付具で樹木に取り付けられる樹木用案内札を提供する。【解決手段】案内札２を回動自在に支持する取付部材１０と、一端側が取付部材１０に取り付けられたビニタイ２０と、他端側がループを形成するように樹木の枝４０に掛け回されたビニタイ２０が、当該ループを維持するように巻回される巻回部材３０とを備える。【選択図】  図１
2012013936.tif 000002
【特許請求の範囲】
【請求項１】
情報が表示された案内札を樹木に吊り下げる樹木用案内札の取付具であって、
前記案内札を回動自在に支持する第１の部材と、
一端側が前記第１の部材に取り付けられた索条と、
他端側がループを形成するように樹木に掛け回された前記索条が、当該ループを維持するように巻回される第２の部材とを備える
ことを特徴とする樹木用案内札の取付具。
【請求項２】
請求項１に記載する樹木用案内札の取付具において、
前記案内札には、厚さ方向に貫通した円形の取付穴が設けられ、
前記第１の部材は、最小径が前記取付穴よりも小さく、最大径が前記取付穴よりも大きい円錐台形状の取付部材であり、
前記取付部材は、その最小径側から前記取付部材の取付穴に挿通されると共に、当該最小径側が上方となるように前記索条が取り付けられている
ことを特徴とする樹木用案内札の取付具。
【請求項３】
請求項１又は請求項２に記載する樹木用案内札の取付具において、
前記第２の部材は、前記索条が巻回されて前記案内札の吊り下げ方向とは交差する方向に延設された巻回部と、当該巻回部に立設された突起部とを備える巻回部材である
ことを特徴とする樹木用案内札の取付具。
【請求項４】
請求項１〜請求項３の何れか一項に記載する樹木用案内札の取付具と、
前記案内札とを備える
ことを特徴とする樹木用案内札。
【発明の詳細な説明】
【技術分野】
【０００１】
本発明は、樹木用案内札の取付具及び樹木用案内札に関し、特に、山間部の送電鉄塔への道案内をするための案内札を樹木に吊り下げる場合に適用して有用なものである。
【背景技術】
【０００２】
電力会社は、発電所と変電所等の設備とが送電線で接続された送電系統を有している。送電系統は、山間部においては架空送配電方式が採用されており、送電線は送電鉄塔に支持されている。
【０００３】
送電系統の点検や保守の際には、送電鉄塔に至る所定の巡視路を通って作業員が現地で所定の作業を行うのであるが、巡視路から外れたり迷うことがないように、送電鉄塔への案内を表示した案内札が要所に設置されている。
【０００４】
このような案内札は、短冊状の札と、紐状のビニールの中心に鉄線が設けられた、いわゆるビニタイから構成されている。ビニタイは、樹木の枝に巻回され、札が人目に付きやすい高さに維持されるように捻って固定される。
【０００５】
しかしながら、このような案内札は、樹木の枝にビニタイを捻って固定するため、木の成長に伴い、樹皮が傷ついて樹木の成長に影響を及ぼす虞があり、ビニタイが切れてしまうという問題がある。また、ビニタイが固く捻られていると、札の高さを調整するためにビニタイを解く作業にも手間を要してしまう。さらに、ビニタイの捻り具合に個人差があり、巻過ぎによる断線や巻不足により案内札が外れてしまう問題もある。
【０００６】
また、ビニタイは、樹木と札の双方に捻って固定してあるので、案内札の向きが一定方向となってしまい、向きによっては作業員が視認しにくくなり、見落としてしまう虞がある。
【０００７】
このような案内札に係る先行技術として特許文献１に係る樹木類装着用表示札があるが、当該表示札を樹木に釘で打ち付けて固定したり、紐類で巻き付けるものであり、上述の問題を解決できるものではない。
【０００８】
なお、上述した問題は、送電鉄塔への案内のために用いられる案内札に限定されず、火の取扱いの注意を促す表示であったり、登山道の目印など任意の情報を表示する案内札にも同様に存在する。
【先行技術文献】
【特許文献】
【０００９】
【特許文献１】登録実用新案公報第３１４０５５９号
【発明の概要】
【発明が解決しようとする課題】
【００１０】
本発明は、このような事情に鑑み、樹木を傷つけることを回避し、案内札の高さを容易に調整することができ、視認し易くすることができる樹木用案内札の取付具及び当該取付具で樹木に取り付けられる樹木用案内札を提供することを目的とする。
【課題を解決するための手段】
【００１１】
上記課題を解決する本発明の第１の態様は、情報が表示された案内札を樹木に吊り下げる樹木用案内札の取付具であって、前記案内札を回動自在に支持する第１の部材と、一端側が前記第１の部材に取り付けられた索条と、他端側がループを形成するように樹木に掛け回された前記索条が、当該ループを維持するように巻回される第２の部材とを備えることを特徴とする樹木用案内札の取付具にある。
【００１２】
かかる第１の態様では、樹木に対してループが出来るように索条を第２の部材に巻回するので、樹木が成長してもビニタイなどの索条が食い込んで樹木の成長に影響を及ぼすことがない。また、索条は捻ることにより固定されるのではなく、第２の部材に巻回されるので、容易に解きやすく、高さの調整や、樹木の成長に合わせてループを大きくするなどの保守作業を容易に行うことができる。さらに、案内札は、第１の部材に回動自在に支持されているので、案内札の向きが一定方向とはならず、風などにより様々な角度をとることができ、作業員に視認しやすく、案内札に表示された情報をより確実に作業員に伝達することができる。
【００１３】
本発明の第２の態様は、第１の態様に記載する樹木用案内札の取付具において、前記案内札には、厚さ方向に貫通した円形の取付穴が設けられ、前記第１の部材は、最小径が前記取付穴よりも小さく、最大径が前記取付穴よりも大きい円錐台形状の取付部材であり、前記取付部材は、その最小径側から前記取付部材の取付穴に挿通されると共に、当該最小径側が上方となるように前記索条が取り付けられていることを特徴とする樹木用案内札の取付具にある。
【００１４】
かかる第２の態様では、第１の部材を円錐台形状としたことにより、そのテーパ面で案内札を係止し、さらに取付穴を中心として案内札を回動させることができる。
【００１５】
本発明の第３の態様は、第１又は第２の態様に記載する樹木用案内札の取付具において、前記第２の部材は、前記索条が巻回されて前記案内札の吊り下げ方向とは交差する方向に延設された巻回部と、当該巻回部に立設された突起部とを備える巻回部材であることを特徴とする樹木用案内札の取付具にある。
【００１６】
かかる第３の態様では、索条は、鉛直方向に巻回部に巻回される。このため、索条の巻回された部分が案内札と第１の部材の自重で鉛直方向の下方に引っ張られることになるので、当該部分が解れにくくなり、案内札を安定的に保持することができる。また、突起部が設けられているため、巻回部に巻き付けた索条が水平方向に外れにくくなっている。
【００１７】
本発明の第４の態様は、第１〜第３の何れか一つの態様に記載する樹木用案内札の取付具と、前記案内札とを備えることを特徴とする樹木用案内札にある。
【００１８】
かかる第４の態様では、樹木の成長を阻害せず、かつ樹木からの高さを容易に調節でき、さらに視認性のよい樹木用案内札が提供される。
【発明の効果】
【００１９】
本発明によれば、樹木を傷つけることを回避し、案内札の高さを容易に調整することができ、視認し易くすることができる樹木用案内札の取付具及び当該取付具で樹木に取り付けられる樹木用案内札が提供される。
【図面の簡単な説明】
【００２０】
【図１】本実施形態に係る樹木用案内札の概略構成図である。
【図２】本実施形態に係る取付部材の平面図及び断面図である。
【図３】本実施形態に係る案内札及び案内札に取り付けられた取付部材の斜視図及び断面図である。
【図４】本実施形態に係る巻回部材の斜視図である。
【図５】本実施形態に係る樹木用案内札の樹木への取り付け手順について説明する図である。
【図６】本実施形態に係る樹木用案内札の樹木への取り付け手順について説明する図である。
【発明を実施するための形態】
【００２１】
以下、本発明の実施形態を図面に基づき詳細に説明する。
図１に示すように、本実施形態に係る樹木用案内札１は、案内札２と、案内札２を樹木に取り付ける取付具３とから構成されている。
【００２２】
案内札２は、耐候性がある材料から形成された札であり、表面には、送電鉄塔への案内などの情報が表示されている。本実施形態では、案内札２は矩形状としてあるが、大きさ・形状に限定はない。また、詳細は後述するが、案内札２には、厚さ方向に貫通した円形の取付穴４（図３（ａ）参照）が設けられ、さらに取付穴４には、リング上の金属部材であるハトメ５が取り付けられている。
【００２３】
また、案内札２に用いられる耐候性がある材料としては、例えば、ポリエチレン、ポリプロピレン、ポリ塩化ビニルなどの合成樹脂を用いることができる。案内札２の表面に情報を表示する方法としては、特に限定はないが、情報の表示が劣化しないものが好ましい。例えば、油性のマーカーなどで案内札２に情報を記入してもよいし、表面に顔料系のインクで情報を印刷してもよい。
【００２４】
取付具３は、案内札２を回動自在に支持する取付部材１０（第１の部材）と、一端側が取付部材１０に取り付けられたビニタイ２０（索条）と、ループを形成するように樹木の枝４０に掛け回されたビニタイ２０が、そのループを維持するように巻回される巻回部材３０（第２の部材）とから構成されている。
【００２５】
図２を用いて、取付部材１０について説明する。図２（ａ）、（ｂ）に示すように、取付部材１０は、円錐台形状に形成された部材である。取付部材１０の上面１１（直径が小さい側の面）の直径（取付部材１０の最小径）は、案内札２の取付穴４の直径よりも小さく、取付部材１０の下面１２（直径が大きい側の面）の直径（取付部材１０の最大径）は、案内札２の取付穴４の直径よりも大きい。
【００２６】
また、取付部材１０には、高さ方向に貫通する貫通孔１３が設けられ、貫通孔１３の下面１２側には、貫通孔１３の径方向に取付棒１４が延設されている。
【００２７】
図３を用いて、案内札２に取り付けられた取付部材１０について説明する。図３（ａ）に示すように、案内札２には取付穴４が形成されている。図３（ｂ）、（ｃ）に示すように、取付部材１０は、上面１１側から案内札２の取付穴４に挿通されている。
【００２８】
また、取付部材１０には、上面１１側が上方となるようにビニタイ２０が取り付けられている。具体的には、ビニタイ２０の一端部２１が取付部材１０の上面１１側から貫通孔１３に挿通され、取付棒１４に巻き回されて上面１１側に折り返されている。
【００２９】
このようにビニタイ２０を取付部材１０に取り付けることで、取付部材１０がビニタイ２０で上方に引っ張られると、取付部材１０が案内札２の取付穴４を通り抜けようとするが、上述したように、取付部材１０の上面１１の直径は取付穴４の直径よりも小さく、下面１２の直径は取付穴４の直径よりも大きいので、取付部材１０は、取付穴４を通り抜けず、途中で止まるようになっている。すなわち、案内札２は、取付部材１０のテーパ部１５で係止されている。
【００３０】
また、案内札２の取付穴４は円形状であるので、取付部材１０のテーパ部１５の廻りを回動することが可能となっている。したがって、案内札２が取付部材１０を中心に回動することが可能であるので、案内札２が風などで様々な角度をとることができ、視認されやすい。
【００３１】
さらに、取付穴４にはハトメ５が取り付けられているので、案内札２が取付穴４から破れたりほつれてしまうことが防止されている。また、取付部材１０は、テーパ部１５がハトメ５、すなわち摩擦の少ない金属表面に接触しているので、よりスムースな回動をする。
【００３２】
図４を用いて、巻回部材３０について説明する。図４（ａ）に示すように、巻回部材３０は、案内札２の吊り下げ方向（鉛直方向）とは交差する方向に延びる棒状の巻回部３１と、これらの巻回部３１に吊り下げ方向に立設された突起部３２とを備えている。本実施形態では、連結部３３を介して接続された２つの巻回部３１と、各巻回部３１に３つの突起部３２が立設している。
【００３３】
上方の巻回部３１のうち、３つの突起部３２の間の領域をそれぞれ第１巻回部３４Ｌ、３４Ｒとし、下方の巻回部３１のうち、３つの突起部３２の間の領域をそれぞれ第２巻回部３５Ｌ、３５Ｒと称する。
【００３４】
図４（ｂ）に示すように、巻回部３１（第１巻回部３４Ｌ、３４Ｒ、第２巻回部３５Ｌ、３５Ｒ）は、ビニタイ２０が巻回される部位である。各巻回部３１に巻回されたビニタイ２０は、突起部３２により水平方向に抜けないようになっている。
【００３５】
ビニタイ２０は、紐状のビニールの中心に鉄線を設けたものであり、巻回部材３０に巻回可能なものである。なお、索条としては、ビニタイ２０に限られず、例えば釣糸や金属線などをも含む。ビニタイ２０は、少なくとも、案内札２を樹木の枝４０に取り付けた際に、案内札２が所定の高さになる程度の長さ（図１参照）であることが好ましい。
【００３６】
図５及び図６を用いて、取付具３を用いて案内札２を樹木に吊り下げる手順について説明する。
【００３７】
図５（ａ）に示すように、案内札２を取付部材１０に取り付け、ビニタイ２０の一端部２１を取付部材１０に取り付ける（図３（ｃ）参照）。そして、ビニタイ２０の一端部２１を巻回部材３０の第２巻回部３５Ｒに巻回する。一方、ビニタイ２０の他端部２２側を第１巻回部３４Ｌ及び第２巻回部３５Ｌに巻回する。取付部材１０と案内札２との間隔を調整する場合は、一端部２１を第２巻回部３５Ｒに巻回する長さを調整すればよい。
【００３８】
次に、図５（ｂ）に示すように、ビニタイ２０の他端部２２を樹木の枝４０に掛け回す。そして、図６に示すように、ビニタイ２０の他端部２２を第１巻回部３４Ｒに巻回する。このとき、ビニタイ２０を枝４０に密着させずに、適度に遊びを設けてループ２３が形成されるように第１巻回部３４Ｒに巻回する。このときのループ２３の大きさは、案内札２の高さが所望の高さとなるように調節する。
【００３９】
以上に説明した構成の樹木用案内札１によれば、樹木の枝４０に対してループ２３が出来るようにビニタイ２０を巻回部材３０に巻回するので、樹木が成長してもビニタイ２０が食い込んで樹木の成長に影響を及ぼすことがない。
【００４０】
ビニタイ２０は捻ることにより固定されるのではなく、巻回部材３０に巻回されるので、容易に解きやすく、高さの調整や、樹木の成長に合わせてループ２３を大きくするなどの保守作業を容易に行うことができる。また、捻る場合では、捻る程度に個人差があり、捻りすぎによる断線や、捻り不足による案内札２の脱落などがあり得るが、本発明においては、ビニタイ２０を巻く分には、そのような断線の虞がない。また、そのような虞がないので、作業員が断線を恐れて巻き不足としてしまうこともない。
【００４１】
さらに、案内札２は、取付部材１０に回動自在に支持されているので、案内札２の向きが一定方向とはならず、風などにより様々な角度をとることができ、作業員に視認しやすく、案内札２に表示された情報をより確実に作業員に伝達することができる。
【００４２】
また、本実施形態においては、ビニタイ２０は、巻回部材３０に鉛直方向に巻回されるようにした。これにより、ビニタイ２０の巻回された部分が案内札２と取付部材１０の自重で鉛直方向の下方に引っ張られることになるので、当該部分が解れにくくなり、案内札２を安定的に保持することができる。
【００４３】
なお、本発明に係る樹木用案内札１は、上述した実施形態のものに限られず、種々の変更が可能である。
【００４４】
樹木用案内札１は、案内札２の取付穴４が円錐台形状の取付部材１０に挿通されて保持されていたが、これに限らず、案内札２にビニタイ２０が間接的に取り付けられ、案内札２がビニタイ２０とは独立して回動できるものであればよい。例えば、クリップなどで案内札２を把持し、そのクリップが回動可能にビニタイ２０に取り付けるようにしてもよい。
【００４５】
また、索条としてビニタイ２０を例に用いたが、樹木の枝４０に巻き回し、適当な大きさのループ２３を形成でき、巻回部材３０に巻回できるものであれば特に限定されない。
【００４６】
ビニタイ２０が巻回される第２の部材として巻回部材３０を例に挙げたが、このような形状に限定されない。少なくともビニタイ２０を巻回できる程度の棒状の部材であればよい。
【００４７】
また、ビニタイ２０を巻回部材３０に巻回する部位や方法は、上述したような例に限らない。例えば、第１巻回部３４Ｌ及び第２巻回部３５Ｌの上下の一組、第１巻回部３４Ｒ及び第２巻回部３５Ｒの上下の一組にビニタイ２０を巻回してもよい。
【符号の説明】
【００４８】
１            樹木用案内札
２            案内札
３            取付具
４            取付穴
１０          取付部材
１３          貫通孔
１４          取付棒
２０          ビニタイ
２３          ループ
３０          巻回部材
３１          巻回部
３２          突起部
３３          連結部
【図１】
2012013936.tif 000003
【図２】
2012013936.tif 000004
【図３】
2012013936.tif 000005
【図４】
2012013936.tif 000006
【図５】
2012013936.tif 000007
【図６】
2012013936.tif 000008